(57)【要約】【課題】  胴径と口径との差が少ない形状の栽培容器においても支障なく着脱ができ、なおかつ、きのこ栽培容器内外の空気の流通がフィルタを介して成されるきのこ栽培用キャップを提供することを目的とする。【解決手段】  きのこ栽培容器の口部に嵌着する筒状の容器用嵌合部１８を有するキャップ本体１２と、該キャップ本体１２に嵌着してキャップ内に栽培容器内外を通気させるフィルタ１４を収納して挟持する上蓋１３とからなるきのこ栽培容器用キャップにおいて、キャップ本体１２の容器用嵌合部１８と栽培容器の口部の外周面との間に栽培容器内外の空気が流通するための通気流路を設けるように、容器用嵌合部１８の内周面に間隔を空けて複数の突起部１９を配設し、キャップ本体１２の内蓋部２０には栽培容器の外部へ開口する第２通気孔１７を栽培容器の口部より若干大径かつ突起部１９と略同径で同心に複数設けたことを特徴とする。【選択図】  図２
0003112132.tif 000002
【実用新案登録請求の範囲】
【請求項１】
円形板状の内蓋部の外周部から上方に設けた筒状の上蓋用嵌合部と、前記内蓋部の下面にきのこ栽培容器の口部に嵌着する筒状の容器用嵌合部とを有するキャップ本体と、前記キャップ本体に嵌着されてキャップ内に栽培容器内外を通気させるフィルタを収納して挟持する上蓋とからなるきのこ栽培容器用キャップにおいて、前記容器用嵌合部の内周面に間隔を空けて複数の突起部を配設し、前記容器用嵌合部と栽培容器の口部の外周面との間に栽培容器内外の空気を流通させる通気流路を設けるとともに、前記内蓋部には栽培容器の口部より若干大径かつ前記突起部と略同径で同心に前記通気流路に連通する通気孔を複数設けたことを特徴とするきのこ栽培容器用キャップ。
【請求項２】
前記キャップ本体に設けた筒状の上蓋用嵌合部と、筒状の容器用嵌合部の外径を略同一径に設けたことを特徴とする請求項１記載のきのこ栽培容器用キャップ。
【考案の詳細な説明】
【技術分野】
【０００１】
本考案は、きのこ栽培容器用キャップに関する。
【背景技術】
【０００２】
きのこの培養工程では、図８に示すようにきのこ栽培容器２３にきのこ培地２４を充填してきのこ栽培容器用キャップ１１を施栓し、殺菌、種菌を接種した後、きのこ栽培容器用キャップ１１をした状態で所定期間菌糸を蔓延させる方法が用いられている。このときのキャップ１１はきのこ栽培容器２３を完全密封するのではなく、ウレタンフォーム製や不織布等のフィルタ１４を介して空気が流通するように設けられている。
【０００３】
従来のきのこ栽培容器用キャップの構成について説明する。図９はきのこ栽培用キャップの構成を示す分解図である。キャップ本体１２と上蓋１３からなり、両者の間でフィルタ１４を装着して使用される。キャップ本体１２と上蓋１３はそれぞれプラスチック成型によって各部位が一体的に形成されている。
【０００４】
キャップ本体１２は円形板状の内蓋部２０の外周部から上方に向かって筒状の上蓋用嵌合部２１が設けられ、内蓋部２０の下面には上蓋用嵌合部２１より小径で同心に筒状の容器用嵌合部１８が配設されている。また、内蓋部２０の上面には容器用嵌合部１８と同心で略同径或いは若干小径の円弧状に間隔を空けて複数の支持用リブ１５が立設されている。さらに、支持用リブ１５より内側の内蓋部２０には栽培容器の口部へ開口する第１通気孔１６、支持用リブ１５より外側の内蓋部２０の外周部付近には外部へ開口する第２通気孔１７が配設されている。この第２通気孔１７は水分や雑菌等の侵入を防止する、培養工程の培養室内の風の影響を軽減するなどの点から、内蓋部２０の外周部付近の下側に設けている。一方、上蓋１３は、キャップ本体１２の上蓋用嵌合部２１と嵌合する筒状の本体用嵌合部２２が外周から若干内側に入った位置に同心に配設されている。合成樹脂、紙、不織布等から成るフィルタ１４は、内蓋部２０の上面の複数の支持用リブ１５の内側で、第１通気孔１６を余裕を持って覆う大きさに形成される。
【０００５】
上記構成からなるきのこ栽培容器用キャップ１１は、フィルタ１４を内蓋部２０の上面の複数の支持用リブ１５の内側に載置した状態で、キャップ本体１２の上蓋用嵌合部２１内に上蓋１３の本体用嵌合部２２を挿入し、上蓋用嵌合部２１の内側の全周にわたって配設された内周突起２１ａと本体用嵌合部２２の外周面の全周にわたって配設された外周突起２２ａとを嵌め合わせて使用する。
【０００６】
図１０はきのこ栽培容器用キャップの一部を拡大した断面図及び栽培容器に嵌着した状態を示す図である。培養つまり菌糸を蔓延させる期間中の栽培容器内外の通気は、矢印Ｂに示すように、容器用嵌合部１８の外側に設けた外部へ開口する第２通気孔１７、内蓋部２０の上面に配設した複数の支持用リブ１５間の隙間、フィルタ１４、栽培容器の口部へ開口する第１通気孔１６とを介して行われ、菌糸の生長に必要な空気の供給と呼吸による炭酸ガス等の排出と共に、栽培容器内への雑菌等の混入を防止している。なお、機械によって栽培容器への着脱を行う際は、第２通気孔１７が配設されている容器用嵌合部１８より外側に突出するキャップ本体１２の外周縁部を把持部２５として用いる。
【特許文献１】特開２００４−２６１０２８
【考案の開示】
【考案が解決しようとする課題】
【０００７】
近年、特にえのきたけ栽培においては生産量増加や効率化を図る手段として、栽培容器の胴径はそのままできのこの発生する面積を大きくした大口径の栽培容器や、きのこの発生面積は従来に近い状態で栽培容器を栽培用コンテナにより多く本数を収容するため胴径を小さくする栽培容器が検討されてきている。
【０００８】
このような栽培容器は胴径と口径との差が少ない形状になるため、栽培用コンテナへ収容した栽培容器に従来のきのこ栽培容器用キャップを嵌着すると、キャップ間の隙間が僅かになったり接触する状態になり支障が生じてしまう。このキャップ間の隙間はキャップ着脱装置の把持アーム等が入り込んで把持するためにも一定以上の間隔が必要であり、必要とする間隔が確保できない場合のキャップ着脱の装置は複雑になりコストアップを招くことになる。これらのことから、キャップ本体の外径が大口径の栽培容器や胴径を小さくするなどの栽培容器の形状変更を限定してしまう状況にある。
【０００９】
一方、他の形状からなる栽培容器用キャップには、フィルタを収納しない単純な構造のものがある。栽培容器口部に被さるキャップの天板の裏側内面及び栽培容器口部の外周面に接するキャップの容器用嵌合部の内周面の双方に連続した突起部或いは溝部を設けて、栽培容器内外の空気が流通する通気孔にしているため、キャップ本体の外径は問題が生じない範囲に設けることができる。しかしながら空気の流通する通気孔が直線的で距離が短くなるため、フィルタを介して栽培容器内外の空気の流通を行うキャップに比べてきのこ培養基を殺菌してから培養工程の間で雑菌等の侵入する危険が高い点が問題として挙げられる。
【００１０】
そこで、本考案はこれらの課題を解決すべくなされたものであり、胴径と口径との差が少ない形状の栽培容器においても支障なく着脱でき、栽培容器内外の空気の流通がフィルタを介して成されるきのこ栽培容器用キャップを提供することにある。
【課題を解決するための手段】
【００１１】
本考案は、円形板状の内蓋部の外周部から上方に設けた筒状の上蓋用嵌合部と、前記内蓋部の下面にきのこ栽培容器の口部に嵌着する筒状の容器用嵌合部とを有するキャップ本体と、前記キャップ本体に嵌着されてキャップ内に栽培容器内外を通気させるフィルタを収納して挟持する上蓋とからなるきのこ栽培容器用キャップにおいて、前記容器用嵌合部の内周面に間隔を空けて複数の突起部を配設し、前記容器用嵌合部と栽培容器の口部の外周面との間に栽培容器内外の空気を流通させる通気流路を設けるとともに、前記内蓋部には栽培容器の口部より若干大径かつ前記突起部と略同径で同心に前記通気流路に連通する通気孔を複数設けたことを特徴とする。また、前記上蓋用嵌合部と前記容器用嵌合部の外径を略同一径に設けたことを特徴とする。
【考案の効果】
【００１２】
本考案のきのこ栽培容器用キャップによれば、容器用嵌合部外側に設けていた通気孔を内側に設けることにより、キャップ本体の外径に容器用嵌合部の外径を近づける或いは略同一径にすることができるため、胴径と口径との差が少ない形状の栽培容器であっても嵌着したキャップ間の間隔が確保されてキャップ同士が干渉することなく、また機械等による着脱を支障なく行えるきのこ栽培容器用キャップを提供することができる。さらにフィルタを介してきのこ栽培容器内外の空気の流通を行うため、雑菌等の侵入を防ぐことができる。
【考案を実施するための最良の形態】
【００１３】
以下、最良の実施形態を添付図面と共に詳細に説明する。図１は本考案に係るきのこ栽培容器用キャップの構成を示す分解図、図２は本考案による当該キャップを上下逆さにして見た斜視図である。図３は当該キャップ本体の平面図、図４は当該キャップ本体の底面図である。図５は図４中Ｘ−Ｘ線位置における当該キャップの一部拡大断面図及び栽培容器に嵌着した状態を示す図、図６は図４中Ｙ−Ｙ線位置における当該キャップの一部拡大断面図及び栽培容器に嵌着した状態を示す図である。
【００１４】
図１から図６に示すように、本考案のきのこ栽培容器用キャップ１１は、容器用嵌合部１８の内周面に間隔を空けて複数（図では８つ）の突起部１９を配設して、栽培容器２３の口部の外周面とキャップの容器用嵌合部１８との間に空気が流通する通気流路を設けるとともに、内蓋部２０には栽培容器２３の口部より若干大径で前記突起部１９と略同径で同心に前記通気流路に連通する第２通気孔１７（図では８つ）を設けることにより、キャップ本体１２の外径に容器用嵌合部１８の外径を近づけることができ、栽培容器２３に嵌着したキャップ間の間隔が確保される。したがってきのこの発生面積を大きくした大口径の栽培容器や、栽培用コンテナにより多く栽培容器を収容するために胴径を小さくするなど、栽培容器の胴径及び口径の変更可能な範囲を広げることができる。
【００１５】
この第２通気孔１７の開口位置は、内蓋部２０の内面と栽培容器２３口部の上面が密着する栽培容器２３口部の外側つまり前記突起部１９の間を結ぶ略同径の円弧状に開口するのが最良であるが、栽培容器２３の口部の上面に若干かかる程度でも良い。その他の構成については図９及び図１０を用いて説明したきのこ栽培容器用キャップ１１と同一であるため、図において同一番号を付して説明を省略する。
【００１６】
図７は本考案の他の実施形態によるきのこ栽培容器用キャップ１１を上下逆さにして見た斜視図である。きのこ栽培容器用キャップ１１の上蓋用嵌合部２１と栽培容器の口部に嵌着する筒状の容器用嵌合部１８の外径を略同一径に設けた点が図２の実施例と異なる。この場合はきのこ栽培容器用キャップ１１の外周部がキャップ着脱装置の把持部２５になるため、栽培容器に嵌着したキャップ間の間隔を充分に確保することができ、胴径と口径との差がさらに少ない形状の栽培容器に使用することが可能になる。
【実施例】
【００１７】
次に本考案のきのこ栽培容器用キャップの使用方法及び機能について説明する。
所定期間菌糸を蔓延させる菌糸培養工程の栽培容器用キャップ１１を嵌着した栽培容器内外の通気は、模式的に図３、４の矢印Ａや図５、６の矢印Ｂに示される。つまり栽培容器２３の口部の外周面とキャップの容器用嵌合部１８の内周面に設けられた複数の突起部１９との間に生じる通気流路と、内蓋部２０に栽培容器２３の口部より若干大径かつ前記突起部１９と略同径で同心に開口した複数の第２通気孔１７と、その内側の内蓋部２０に複数配設した支持用リブ１５の隙間と、支持用リブ１５のさらに内側の内蓋部２０に開口した第１通気孔１６とを経由して行われる。このときフィルタ１４が第１通気孔１６を覆うように挟持されているので空気はフィルタ１４を通過することになり、栽培容器内への雑菌等の侵入を防止できる。
【００１８】
また、フィルタ１４を不織布等のシート状にした場合には、上蓋１３の下面にフィルタ１４を挟持するための押さえリブを配設して、フィルタ１４を内蓋部２０の上面の支持用リブ１５の内側に載置した状態で、キャップ本体１２と上蓋１３とを、キャップ本体１２の上蓋用嵌合部２１内に上蓋１３の本体用嵌合部２２を挿入し嵌め合わせて使用する。
【産業上の利用可能性】
【００１９】
胴径と口径との差が少ない形状の栽培容器においても隣接する栽培容器に嵌着したキャップ同士は干渉することなく、また機械等による着脱を支障なく行うことができる。さらにきのこ菌糸の培養工程で必要になる栽培容器内外の空気をフィルタを介して行うため、雑菌等の侵入を防ぐことができ、栽培の安定を保つことができる。
【図面の簡単な説明】
【００２０】
【図１】本考案に係るきのこ栽培容器用キャップの構成を示す分解図である。
【図２】図１に示した当該キャップを上下逆さにして見た斜視図である。
【図３】図１に示した当該キャップ本体の平面図である。
【図４】図１に示した当該キャップ本体の底面図である。
【図５】図４中Ｘ−Ｘ線位置における当該キャップの一部拡大断面図及び栽培容器に嵌着した状態を示す図である。
【図６】図４中Ｙ−Ｙ線位置における当該キャップの一部拡大断面図及び栽培容器に嵌着した状態を示す図である。
【図７】他の実施形態による当該キャップを上下逆さにして見た斜視図である。
【図８】従来のきのこ栽培容器用キャップを栽培容器に装着した際の概略図である。
【図９】従来のきのこ栽培容器用キャップの構成を示す分解図である。
【図１０】従来のきのこ栽培容器用キャップの一部拡大断面図である。
【符号の説明】
【００２１】
１１  きのこ栽培容器用キャップ
１２  キャップ本体
１３  上蓋
１４  フィルタ
１５  支持用リブ
１６  第１通気孔
１７  第２通気孔
１８  容器用嵌合部
１９  突起部
２０  内蓋部
２１  上蓋用嵌合部
２２  本体用嵌合部
２３  きのこ栽培容器
２４  きのこ培地
２５  把持部
Ａ   通気
Ｂ   通気
【図１】
0003112132.tif 000003
【図２】
0003112132.tif 000004
【図３】
0003112132.tif 000005
【図４】
0003112132.tif 000006
【図５】
0003112132.tif 000007
【図６】
0003112132.tif 000008
【図７】
0003112132.tif 000009
【図８】
0003112132.tif 000010
【図９】
0003112132.tif 000011
【図１０】
0003112132.tif 000012